(57)【要約】【課題】通常再生を行う場合の音質劣化を招くことなく、互換再生を行い得るようにする。【解決手段】テープ１２０に、２３．９７Ｈｚのフレーム周波数のビデオデータＶｉｎが記録され、これに対応して、４８ｋＨｚのサンプリング周波数を持つオーディオデータＡｉｎも記録されている。オーディオデータＡｉｎに関しては、フィールド毎に１００１個のサンプルデータが記録されている。通常再生時には、テープ１２０からフレーム周波数が２３．９７ＨｚのビデオデータＶｏｕｔを再生する。その場合、レートコンバータ１３７は、各フィールド分のオーディオデータを、そのサンプルデータの個数を１００１個のまま出力する。互換再生時には、テープ１２０からフレーム周波数が２５ＨｚのビデオデータＶｏｕｔを再生する。その場合、レートコンバータ１３７は、各フィールド分のオーディオデータを、そのサンプルデータの個数を１００１個から９６０個に変換して出力する。【選択図】        図１
2004310863.tif 000002
【特許請求の範囲】
【請求項１】
第１の時間毎に所定のサンプリング周波数を持つオーディオデータが該第１の時間分だけ記録された記録媒体から上記オーディオデータを再生するデータ再生方法であって、
上記第１の時間毎に記録された上記第１の時間分のオーディオデータが上記第１の時間毎に再生されるときは、該第１の時間毎に再生されるオーディオデータのサンプルデータの個数をそのままとして出力し、
上記第１の時間毎に記録された上記第１の時間分のオーディオデータが上記第１の時間とは異なる第２の時間毎に再生されるときは、該第２の時間毎に再生されるオーディオデータのサンプルデータの個数を該第２の時間に応じた個数に変換して出力する
ことを特徴とするデータ再生方法。
【請求項２】
第１のフレーム周波数のビデオデータが記録されると共に、該ビデオデータに対応して、該ビデオデータのフレーム周期の整数倍または整数分の１である所定時間毎に所定のサンプリング周波数を持つオーディオデータが所定時間分だけ記録された記録媒体から上記ビデオデータおよび上記オーディオデータを再生するデータ再生方法であって、
上記ビデオデータが上記第１のフレーム周波数で再生されるとき、該ビデオデータに対応して順次再生される上記所定時間分のオーディオデータのサンプルデータの個数をそのままとして出力し、
上記ビデオデータが上記第１のフレーム周波数とは異なる第２のフレーム周波数で再生されるとき、該ビデオデータに対応して順次再生される上記所定時間分のオーディオデータのサンプルデータの個数を該第２のフレーム周波数に応じた個数に変換して出力する
ことを特徴とするデータ再生方法。
【請求項３】
上記所定時間は、上記ビデオデータのフレーム周期の１／２である１フィールド期間である
ことを特徴とする請求項２に記載のデータ再生方法。
【請求項４】
上記記録媒体はテープ記録媒体であり、
上記テープ記録媒体の一本または複数本の傾斜トラック毎に、上記所定時間分のビデオデータおよびオーディオデータからそれぞれ生成された複数のシンクブロックが記録されている
ことを特徴とする請求項２に記載のデータ再生方法。
【請求項５】
上記所定時間分のビデオデータおよびオーディオデータは、それぞれ、一個または複数個の符号化単位に分割され、該分割された符号化単位毎に積符号を用いたエラー訂正符号化が行われ、
上記シンクブロックは、内符号演算データ系列を構成するデータ列に内符号パリティを付加してなる
ことを特徴とする請求項４に記載のデータ再生方法。
【請求項６】
第１の時間毎に所定のサンプリング周波数を持つオーディオデータが該第１の時間分だけ記録された記録媒体から上記オーディオデータを再生する再生手段と、
上記再生手段で上記第１の時間毎に記録された上記第１の時間分のオーディオデータが上記第１の時間毎に再生されるときは、該第１の時間毎に再生されるオーディオデータのサンプルデータの個数をそのままとして出力し、上記再生手段で上記第１の時間毎に記録された上記第１の時間分のオーディオデータが上記第１の時間とは異なる第２の時間毎に再生されるときは、該第２の時間毎に再生されるオーディオデータのサンプルデータの個数を該第２の時間に応じた個数に変換して出力するレート変換手段と
を備えることを特徴とするデータ再生装置。
【請求項７】
第１のフレーム周波数のビデオデータが記録されると共に、該ビデオデータに対応して、該ビデオデータのフレーム周期の整数倍または整数分の１である所定時間毎に所定のサンプリング周波数を持つオーディオデータが所定時間分だけ記録された記録媒体から上記ビデオデータおよび上記オーディオデータを再生する再生手段と、
上記再生手段で上記ビデオデータが上記第１のフレーム周波数で再生されるとき、該ビデオデータに対応して順次再生される上記所定時間分のオーディオデータのサンプルデータの個数をそのままとして出力し、上記再生手段で上記ビデオデータが上記第１のフレーム周波数とは異なる第２のフレーム周波数で再生されるとき、該ビデオデータに対応して順次再生される上記所定時間分のオーディオデータのサンプルデータの個数を該第２のフレーム周波数に応じた個数に変換して出力するレート変換手段と
を備えることを特徴とするデータ再生装置。
【請求項８】
上記所定時間は、上記ビデオデータのフレーム周期の１／２である１フィールド期間である
ことを特徴とする請求項７に記載のデータ再生装置。
【請求項９】
上記記録媒体はテープ記録媒体であり、
上記テープ記録媒体の一本または複数本の傾斜トラック毎に、上記所定時間分のビデオデータおよびオーディオデータからそれぞれ生成された複数のシンクブロックが記録されている
ことを特徴とする請求項７に記載のデータ再生装置。
【請求項１０】
上記所定時間分のビデオデータおよびオーディオデータは、それぞれ、一個または複数個の符号化単位に分割され、該分割された符号化単位毎に積符号を用いたエラー訂正符号化が行われ、
上記シンクブロックは、内符号演算データ系列を構成するデータ列に内符号パリティを付加してなる
ことを特徴とする請求項９に記載のデータ再生装置。
【発明の詳細な説明】
【０００１】
【発明の属する技術分野】
この発明は、例えばデジタルビデオテープレコーダ等に適用して好適なデータ再生方法およびデータ再生装置に関する。
【０００２】
詳しくは、この発明は、第１の時間（所定時間）毎に所定のサンプリング周波数を持つオーディオデータが第１の時間分だけ記録された記録媒体からオーディオデータを再生する際に、各第１の時間分のオーディオデータが第１の時間毎に再生されるとき（通常再生時）は、第１の時間毎に再生されるオーディオデータのサンプルデータの個数をそのままとして出力し、各第１の時間分のオーディオデータが第１の時間とは異なる第２の時間（所定時間とは異なる時間）毎に再生されるとき（互換再生時）は、第２の時間毎に再生されるオーディオデータのサンプルデータの個数を第２の時間に応じた個数に変換して出力することによって、通常再生を行う場合の音質劣化を招くことなく互換再生を行い得るようにしたデータ再生方法およびデータ再生装置に係るものである。
【０００３】
【従来の技術】
従来、磁気テープの傾斜トラックにビデオデータおよびオーディオデータのそれぞれを対応させて記録するデジタルビデオテープレコーダが知られている。この種のデジタルビデオテープレコーダにおいて、例えばフィールド周波数が５９．９４Ｈｚのビデオデータを記録する場合、４８ｋＨｚのサンプリング周波数を持つオーディオデータの各１フレーム期間のサンプルデータの個数を、レートコンバータにより、１６０２個（４８ｋＨｚのサンプリング周波数に対応）から１６００個（４７．９５２ｋＨｚのサンプリング周波数に対応）に変換して記録することが考えられている（例えば、特許文献１参照）。
【０００４】
【特許文献１】
特開平９−２４７６２５号公報
【０００５】
【発明が解決しようとする課題】
上述した特許文献１のようにオーディオデータの記録が行われる場合、再生時にビデオデータが５９．９４Ｈｚのフィールド周波数で再生されるときは、各１フレーム期間で再生されたオーディオデータのサンプルデータの個数を、レートコンバータによって、１６００個（４７．９５２ｋＨｚのサンプリング周波数に対応）から１６０２個（４８ｋＨｚのサンプリング周波数に対応）に変換して出力するようになされる。
【０００６】
一方、再生時にビデオデータが６０Ｈｚのフィールド周波数で再生される互換再生のときは、各１フレーム期間で再生されたオーディオデータのサンプルデータの個数を、１６００個（４８ｋＨｚのサンプリング周波数に対応）そのままとして出力するようになされる。
【０００７】
この場合、フィールド周波数が６０Ｈｚである互換再生を行うために、記録時に、レートコンバータにより、各１フレーム期間のオーディオデータのサンプルデータの個数を、１６０２個から１６００個に変換してして記録するものであり、フィールド周波数が５９．９４Ｈｚである通常再生を行う場合には、レートコンバータによって、各１フレーム期間のオーディオデータのサンプルデータを１６００個から１６０２個に変換するものであり、記録時におけるサンプルデータの個数の減少による帯域制限と、レートコンバータにおけるフィルタの丸め誤差により、音質が劣化するという問題点がある。
【０００８】
この発明の目的は、通常再生を行う場合の音質劣化を招くことなく互換再生を行い得るようにすることにある。
【０００９】
【課題を解決するための手段】
この発明に係るデータ再生方法は、第１の時間毎に所定のサンプリング周波数を持つオーディオデータが第１の時間分だけ記録された記録媒体からオーディオデータを再生するデータ再生方法であって、第１の時間毎に記録された第１の時間分のオーディオデータが第１の時間毎に再生されるときは、この第１の時間毎に再生されるオーディオデータのサンプルデータの個数をそのままとして出力し、第１の時間毎に記録された第１の時間分のオーディオデータが第１の時間とは異なる第２の時間毎に再生されるときは、この第２の時間毎に再生されるオーディオデータのサンプルデータの個数を第２の時間に応じた個数に変換して出力するものである。
【００１０】
また、この発明に係るデータ再生装置は、第１の時間毎に所定のサンプリング周波数を持つオーディオデータが第１の時間分だけ記録された記録媒体からオーディオデータを再生する再生手段と、この再生手段で第１の時間毎に記録された第１の時間分のオーディオデータが第１の時間毎に再生されるときは、この第１の時間毎に再生されるオーディオデータのサンプルデータの個数をそのままとして出力し、再生手段で第１の時間毎に記録された第１の時間分のオーディオデータが第１の時間とは異なる第２の時間毎に再生されるときは、この第２の時間毎に再生されるオーディオデータのサンプルデータの個数をこの第２の時間に応じた個数に変換して出力するレート変換手段とを備えるものである。
【００１１】
この発明に係るデータ再生方法は、第１のフレーム周波数のビデオデータが記録されると共に、このビデオデータに対応して、このビデオデータのフレーム周期の整数倍または整数分の１である所定時間毎に所定のサンプリング周波数を持つオーディオデータが所定時間分だけ記録された記録媒体からビデオデータおよびオーディオデータを再生するデータ再生方法であって、ビデオデータが第１のフレーム周波数で再生されるとき、このビデオデータに対応して順次再生される所定時間分のオーディオデータのサンプルデータの個数をそのままとして出力し、ビデオデータが第１のフレーム周波数とは異なる第２のフレーム周波数で再生されるとき、このビデオデータに対応して順次再生される所定時間分のオーディオデータのサンプルデータの個数をこの第２のフレーム周波数に応じた個数に変換して出力するものである。
【００１２】
また、この発明に係るデータ再生装置は、第１のフレーム周波数のビデオデータが記録されると共に、このビデオデータに対応して、このビデオデータのフレーム周期の整数倍または整数分の１である所定時間毎に所定のサンプリング周波数を持つオーディオデータが所定時間分だけ記録された記録媒体からビデオデータおよびオーディオデータを再生する再生手段と、この再生手段でビデオデータが第１のフレーム周波数で再生されるとき、このビデオデータに対応して順次再生される所定時間分のオーディオデータのサンプルデータの個数をそのままとして出力し、再生手段でビデオデータが第１のフレーム周波数とは異なる第２のフレーム周波数で再生されるとき、このビデオデータに対応して順次再生される所定時間分のオーディオデータのサンプルデータの個数をこの第２のフレーム周波数に応じた個数に変換して出力するレート変換手段とを備えるものである。
【００１３】
この発明においては、第１の時間毎に所定のサンプリング周波数を持つオーディオデータが第１の時間分だけ記録された記録媒体からオーディオデータが再生される。例えば、第１のフレーム周波数のビデオデータが記録されると共に、このビデオデータに対応して、このビデオデータのフレーム周期の整数倍または整数分の１である所定時間毎に所定のサンプリング周波数を持つオーディオデータが所定時間分だけ記録された記録媒体からビデオデータおよびオーディオデータが再生される。
【００１４】
例えば、上述の所定時間は、ビデオデータのフレーム周期の１／２である１フィールド期間とされる。また例えば、上述の記録媒体はテープ記録媒体であり、このテープ記録媒体の一本または複数本の傾斜トラック毎に、所定時間分のビデオデータおよびオーディオデータからそれぞれ生成された複数のシンクブロックが記録されている。この場合、例えば、所定時間分のビデオデータおよびオーディオデータは、それぞれ、一個または複数個の符号化単位に分割され、この分割された符号化単位毎に積符号を用いたエラー訂正符号化が行われ、上述のシンクブロックは内符号演算データ系列を構成するデータ列に内符号パリティを付加してなるものである。
【００１５】
ビデオデータが第１のフレーム周波数、例えば２３．９７Ｈｚで再生される通常再生時には、このビデオデータに対応して順次再生される所定時間分のオーディオデータのサンプルデータの個数がそのままとされて出力される。一方、ビデオデータが第１のフレーム周波数とは異なる第２のフレーム周波数、例えば２５Ｈｚで再生される互換再生時には、このビデオデータに対応して順次再生される所定時間分のオーディオデータのサンプルデータの個数が、レート変換手段により、第２のフレーム周波数に応じた個数に変換されて出力される。
【００１６】
この場合、ビデオデータを第１のフレーム周波数で再生する通常再生を行う場合には、各所定時間分のオーディオデータのサンプルデータの個数を変換する処理は不要であり、サンプルデータの個数の減少による帯域制限やレートコンバータにおけるフィルタの丸め誤差はなく、音質の劣化を招くことはない。
【００１７】
【発明の実施の形態】
以下、図面を参照しながら、この発明の実施の形態について説明する。図１は、実施の形態としての記録再生装置１００の基本的構成を示している。
【００１８】
まず、記録系を説明する。入力端子１１１Ｖに入力されるデジタルのビデオデータＶｉｎはビデオ圧縮回路１１２に供給される。このビデオデータＶｉｎは、フレーム周波数が２３．９７Ｈｚのものである。このビデオ圧縮回路１１２では、ビデオデータＶｉｎが例えば８×８画素の二次元ブロックに分割され、ＤＣＴ等のブロック符号化を用いたデータ圧縮処理が行われる。
【００１９】
ビデオ圧縮回路１１２より出力されるビデオデータ（圧縮符号化データ）ＶＤａは、ＥＣＣエンコーダ１１３に供給される。また、このＥＣＣエンコーダ１１３には、入力端子１１１Ａに入力されるデジタルのオーディオデータＡｉｎが供給される。このオーディオデータＡｉｎは、４８ｋＨｚのサンプリング周波数を持つものである。このオーディオデータＡｉｎに関しては、１２チャネル分のオーディオデータを並行して入力可能とされている。
【００２０】
ＥＣＣエンコーダ１１３では、ビデオデータＶＤａに対して符号化単位毎に積符号を用いたエラー訂正符号化が行われると共に、オーディオデータＡｉｎに対して符号化単位毎に積符号を用いたエラー訂正符号化が行われる。このＥＣＣエンコーダ１１３より出力される記録データ（エラー訂正符号化データ）ＤＤｂは、記録アンプ１１４を介して記録ヘッドＨｒに供給され、磁気テープ１２０の傾斜トラックに順次記録される。
【００２１】
この場合、記録データＤＤｂはデジタル変調処理を経ることなく、ＮＲＺ（Ｎｏｎ−Ｒｅｔｕｒｎ−ｔｏ−Ｚｅｒｏ）の形式のままで記録される。しかし、記録データＤＤｂに対してデジタル変調処理を施した後に記録するようにしてもよい。
【００２２】
次に、再生系を説明する。磁気テープ１２０の傾斜トラックより再生ヘッドＨｐで再生された再生信号は再生アンプ１３１で増幅され、さらに等化回路１３２で波形等化された後に復号回路１３３に供給される。復号回路１３３では、波形等化後の再生信号に対して、例えばビタビアルゴリズムを利用した復号化の処理が行われ、上述した記録系のＥＣＣエンコーダ１１３から出力される記録データＤＤｂに対応した再生データＤＤｃが得られる。
【００２３】
復号回路１３３より出力される再生データＤＤｃはＥＣＣデコーダ１３４に供給される。このＥＣＣデコーダ１３４では、ビデオデータおよびオーディオデータのそれぞれについて、再生データＤＤｃに付加されているパリティ（Ｃ１パリティ、Ｃ２パリティ）を用いてエラー訂正が行われる。
【００２４】
ＥＣＣデコーダ１３４より出力されるエラー訂正後のビデオデータ（圧縮符号化データ）ＶＤｄはビデオ伸長回路１３５に供給される。このビデオ伸長回路１３５では、記録系のビデオ圧縮回路１１２とは逆の処理によってデータ伸長が行われる。そして、このビデオ伸長回路１３５より出力されるビデオデータＶｏｕｔは出力端子１３６Ｖに出力される。
【００２５】
また、ＥＣＣデコーダ１３４より出力されるエラー訂正後のオーディオデータはレート変換手段としてのレートコンバータ１３７に供給され、このレートコンバータ１３７より出力されるオーディオデータＡｏｕｔが出力端子１３６Ａに出力される。
【００２６】
本実施の形態において、再生には、通常再生および互換再生が存在する。
通常再生とは、上述したように２３．９７Ｈｚのフレーム周波数のビデオデータＶｉｎが磁気テープ１２０に記録されるが、この磁気テープ１２０からフレーム周波数が２３．９７ＨｚのビデオデータＶｏｕｔを得るための再生である。この場合、磁気テープ１２０のテープ走行速度および回転ヘッドの回転速度は、記録時と同じくされる。
【００２７】
互換再生とは、上述したように２３．９７Ｈｚのフレーム周波数のビデオデータＶｉｎが磁気テープ１２０に記録されるが、この磁気テープ１２０からフレーム周波数が２５ＨｚのビデオデータＶｏｕｔを得るための再生である。この場合、磁気テープ１２０のテープ走行速度および回転ヘッドの回転速度は、記録時に比べて再生時は２５／２３．９７倍とされる。
【００２８】
レートコンバータ１３７は、通常再生時には、ＥＣＣデコーダ１３４から順次供給される、各フィールド分のオーディオデータを、そのサンプルデータの個数を１００１個（４８ｋＨｚのサンプリング周波数に対応）のままとして出力する。また、レートコンバータ１３７は、互換再生時には、ＥＣＣデコーダ１３４から順次供給される、各フィールド分のオーディオデータを、そのサンプルデータの個数を１００１個（５０．０１ｋＨｚのサンプリング周波数に対応）から９６０個（４８ｋＨｚのサンプリング周波数に対応）に変換して出力する。
【００２９】
これにより、２３．９７Ｈｚのフレーム周波数のビデオデータＶｏｕｔを得る通常再生時、および２５ＨｚのビデオデータＶｏｕｔを得る互換再生時の双方において、出力端子１３６Ａには、４８ｋＨｚのサンプリング周波数を持つオーディオデータＡｏｕｔが得られる。
【００３０】
図２Ａは、２３．９７Ｈｚのフレーム周波数のビデオデータＶｉｎの各フィールドに対応して、４８ｋＨｚのサンプリング周波数を持つオーディオデータＡｉｎの１００１個のサンプルデータが記録されることを示している。通常再生時には、ビデオデータＶｏｕｔのフレーム周波数は２３．９７Ｈｚであって、記録時のビデオデータＶｉｎのフレーム周波数と同じであり、ビデオデータＶｏｕｔの各フィールドで再生されるオーディオデータの１００１個のサンプルデータをそのまま用いることで、４８ｋＨｚのサンプリング周波数を持つオーディオデータＡｏｕｔを得ることができる。
【００３１】
しかし、互換再生時には、ビデオデータＶｏｕｔのフレーム周波数は２５Ｈｚであって、記録時のビデオデータＶｉｎのフレーム周波数より高く、ビデオデータＶｏｕｔの各フィールドで再生されるオーディオデータの１００１個のサンプルデータをそのまま用いて４８ｋＨｚのサンプリング周波数を持つオーディオデータを構成するとすれば、図２Ｂに示すように、構成されるオーディオデータの期間は１フィールド期間より長くなって不都合である。
【００３２】
上述したように、レートコンバータ１３７で、ビデオデータＶｏｕｔの各フィールドで再生されるオーディオデータの１００１個のサンプルデータを９６０個に変換し、各フィールドで、変換して得られる９６０個のサンプルデータを用いて４８ｋＨｚのサンプリング周波数を持つオーディオデータを構成することで、図２Ｃに示すように、構成されるオーディオデータの期間は１フィールド期間に等しくなり、各フィールドのオーディオデータを良好に連続させることができる。
【００３３】
なお、ＥＣＣデコーダ１３４とレートコンバータ１３７との間は、再生フレーム周波数に合わせて、各フィールドの全てのサンプルデータを伝送できるインタフェースにする必要がある。本実施の形態においては、各２チャネル分のオーディオデータを、１２８ｆｓ（ｆｓは４８ｋＨｚ）の転送レートで、シリアル転送するインタフェースとされる。
【００３４】
この場合、各サンプルデータは、２４ビットのデータに８ビットのヘッダが付加された信号フォーマットで転送される。そのため、フレーム周波数が２５Ｈｚの場合、１フィールド期間では、１チャネル当たり１９２０個（＝（１２８×４８×１０３）／（５０×３２×２））のサンプルデータの転送が可能である。しかし、上述したように１チャネルの１フィールド分のサンプルデータの個数は１００１個である。したがって、有効な１００１個のサンプルデータの部分のヘッダにだけ、それが有効であることを示すバリッドフラグを付加して転送している。
【００３５】
図３は、磁気テープ１２０の記録フォーマットを示している。磁気テープ１２０には、その長手方向に対して傾斜したトラックＴが順次形成される。この場合、互いに隣接する２本のトラックＴにおける記録アジマスは異なるようにされる。
【００３６】
トラックＴの走査開始端側および走査終了端側の領域は、それぞれビデオデータ領域ＡＲＶＬ，ＡＲＶＵに割り当てられている。このビデオデータ領域ＡＲＶＬ，ＡＲＶＵには、上述したＥＣＣエンコーダ１１３より出力される、記録データＤＤｂを構成するビデオデータに係るシンクブロックが記録される。
【００３７】
また、トラックＴのビデオ領域ＡＲＶＬ，ＡＲＶＵに挟まれた領域は、オーディオデータ領域ＡＲＡに割り当てられている。このオーディオデータ領域ＡＲＡには、上述したＥＣＣエンコーダ１１３より出力される、記録データＤＤｂを構成するオーディオデータに係るシンクブロックが記録される。
【００３８】
図４は、図１に示す記録再生装置１００の回転ドラムの構成を示す略線図である。回転ドラム１４０には、１８０度の巻き付け角度をもって、磁気テープ１２０が斜めに巻き付けられる。磁気テープ１２０は、回転ドラム１４０にこのように巻き付けられた状態で、所定速度で走行するようにされる。
【００３９】
また、回転ドラム１４０には、４個の記録ヘッドＲＥＣＡ〜ＲＥＣＤが配置されていると共に、これら４個の記録ヘッドＲＥＣＡ〜ＲＥＣＤに対して１８０度の角間隔をもって４個の記録ヘッドＲＥＣＥ〜ＲＥＣＨが配置されている。さらに、回転ドラム１４０には、記録ヘッドＲＥＣＡ〜ＲＥＣＨに対応する８個の再生ヘッドＰＢＡ〜ＰＢＨが、記録ヘッドＲＥＣＡ〜ＲＥＣＨに対してそれぞれ９０度の角間隔をもって配置されている。
【００４０】
図１に示す記録再生装置１００の記録ヘッドＨｒは、実際には、上述したように８個の記録ヘッドＲＥＣＡ〜ＲＥＣＨからなっている。また、図１に示す記録再生装置１００の再生ヘッドＨｐは、実際には、上述したように８個の再生ヘッドＰＢＡ〜ＰＢＨからなっている。１フィールド分のビデオデータおよびオーディオデータは、１２トラックに記録される。記録時および再生時には、１回のスキャン（走査）では４個のヘッドによって４トラックが同時に走査され、従って１２トラックは３回のスキャンで走査される。
【００４１】
１２トラックのビデオデータ領域ＡＲＶＬ，ＡＲＶＵには、図５に示すように、ブロック０〜ブロック３５までの、３６個のＥＣＣブロック（符号化単位のデータ）が記録される。１個のＥＣＣブロックは、以下のように構成されている。すなわち、２２６バイト×１１４バイトのデータ配列からなるビデオデータに対して、矢印ｂで示す外符号演算データ系列につき、各列のデータ（データ列）が例えば（１２６，１１４）リードソロモン符号によって符号化され、１２バイトのＣ２パリティ（外符号パリティ）が生成される。さらに、これらビデオデータおよびＣ２パリティに対して、矢印ａで示す内符号演算データ系列につき、各行のデータ（データ列）が例えば（２４２，２２６）リードソロモン符号によって符号化され、１６バイトのＣ１パリティが生成される。また、各々のデータ行の先頭には、それぞれ２バイトの大きさを有するシンクデータおよびＩＤが配される。
【００４２】
図６は、ＥＣＣブロック（ビデオデータ）における１シンクブロックの構成を示している。先頭の２バイトはシンクデータである。続く２バイトはＩＤである。このＩＤには、当該１シンクブロックが１２トラックのいずれに記録されたものかを識別するトラックＩＤ、当該１シンクブロックが一本の傾斜トラックに記録された複数のシンクブロックのいずれであるかを識別するシンクブロックＩＤが含まれる。
【００４３】
例えば、シンクブロックＩＤは、９ビットのデータとして構成される。この場合、１ビットで、走査開始端側のビデオデータ領域ＡＲＶＬに記録されるものか、走査終了端側のビデオデータ領域ＡＲＶＵに記録されるものかを表すものとされる。また、残りの８ビットで、領域ＡＲＶＬ，ＡＲＶＵのそれぞれに記録される１８９シンクブロックにそれぞれ対応して０〜１８８の数値が与えられる。
【００４４】
また、１２トラック毎に１セグメントが構成され、０〜３のセグメント番号が順次繰り返し付与されるが、上述の２バイトのＩＤには、当該１シンクブロックが記録されるセグメントのセグメント番号を示すセグメントＩＤも含まれる。
【００４５】
また、このＩＤに、２２６バイトのビデオデータ（またはＣ２パリティ）および１６バイトのＣ１パリティが続く。
【００４６】
上述したように、磁気テープ１２０の１２トラックに、３６個のＥＣＣブロック（図５参照）が記録される。図７は、１セグメントを構成する１２トラックのビデオデータ領域ＡＲＶＬ，ＡＲＶＵにおける各ＥＣＣブロックのシンクブロックの配置を示している。
【００４７】
図７Ａに示すように、１回目にスキャンされる０〜３の４トラックに関しては、ビデオデータ領域ＡＲＶＬには０〜３５のＥＣＣブロックにおける０Ｒｏｗ〜２０Ｒｏｗまでの２１Ｒｏｗのシンクブロックが記録され、ビデオデータ領域ＡＲＶＵには０〜３５のＥＣＣブロックにおける２１Ｒｏｗ〜４１Ｒｏｗまでの２１Ｒｏｗのシンクブロックが記録される。
【００４８】
また、２回目にスキャンされる４〜７の４トラックに関しては、ビデオデータ領域ＡＲＶＬには０〜３５のＥＣＣブロックにおける４２Ｒｏｗ〜６２Ｒｏｗまでの２１Ｒｏｗのシンクブロックが記録され、ビデオデータ領域ＡＲＶＵには０〜３５のＥＣＣブロックにおける６３Ｒｏｗ〜８３Ｒｏｗまでの２１Ｒｏｗのシンクブロックが記録される。
【００４９】
さらに、３回目にスキャンされる８〜１１の４トラックに関しては、ビデオデータ領域ＡＲＶＬには０〜３５のＥＣＣブロックにおける８４Ｒｏｗ〜１０４Ｒｏｗまでの２１Ｒｏｗのシンクブロックが記録され、ビデオデータ領域ＡＲＶＵには０〜３５のＥＣＣブロックにおける１０５Ｒｏｗ〜１２５Ｒｏｗまでの２１Ｒｏｗのシンクブロックが記録される。
【００５０】
ここで、０Ｒｏｗのシンクブロックは、０〜３５のＥＣＣブロックのそれぞれにおける０番目のシンクブロックからなっており、これら３６個のシンクブロックは、図７Ｂに示すように、０〜４のトラックに、９シンクブロックずつ振り分けられて記録される。つまり、０のトラックには０，１８，１，１９，２，２０，３，２１，４のＥＣＣブロックにおける０番目のシンクブロックが記録され、１のトラックには２２，５，２３，６，２４，７，２５，８，２６のＥＣＣブロックにおける０番目のシンクブロックが記録され、２のトラックには９，２７，１０，２８，１１，２９，１２，３０，１３のＥＣＣブロックにおける０番目のシンクブロックが記録され、さらに３のトラックには３１，１４，３２，１５，３３，１６，３４，１７，３５のＥＣＣブロックにおける０番目のシンクブロックが記録される。
【００５１】
以下、同様に、１〜１２５Ｒｏｗのシンクブロックは、それぞれ０〜３５のＥＣＣブロックにおける１〜１２５番目のシンクブロックからなっており、各３６個のシンクブロックは対応する４トラックに９シンクブロックずつ振り分けられて記録される。この場合、Ｒｏｗ毎に、４トラックのそれぞれに記録される９シンクブロックが取り出されるＥＣＣブロックがローテーションされる。なお、１シンクブロックは、図７Ｃに示すように、２バイトのシンクデータ、２バイトのＩＤ、２２６バイトのビデオデータ（またはＣ２パリティ）および１６バイトのＣ１パリティからなっている。
【００５２】
ここで、０〜１１の１２トラックには、０Ｒｏｗ〜１２５Ｒｏｗのシンクブロックが順次記録される。この場合、０Ｒｏｗ〜１１３Ｒｏｗのシンクブロックは、内符号演算データ系列を構成するビデオデータのデータ列にＣ１パリティが付加されてなるものであるが、１１４Ｒｏｗ〜１２５Ｒｏｗのシンクブロックは、内符号演算データ系列を構成するＣ２パリティのデータ列にＣ１パリティが付加されてなるものである。
【００５３】
１２トラックのオーディオデータ領域ＡＲＡには、図８に示すように、ブロック０〜ブロック２３までの、２４個のＥＣＣブロック（符号化単位のデータ）が記録される。１個のＥＣＣブロックは、以下のように構成されている。すなわち、１８９バイト×８バイトのデータ配列からなるオーディオデータに対して、矢印ｂで示す外符号演算データ系列につき、各列のデータ（データ列）が例えば（１６，８）リードソロモン符号によって符号化され、８バイトのＣ２パリティ（外符号パリティ）が生成される。さらに、これらオーディオデータおよびＣ２パリティに対して、矢印ａで示す内符号演算データ系列につき、各行のデータ（データ列）が例えば（２０５，１８９）リードソロモン符号によって符号化され、１６バイトのＣ１パリティが生成される。また、各々のデータ行の先頭には、それぞれ２バイトの大きさを有するシンクデータおよびＩＤが配される。
【００５４】
図９は、ＥＣＣブロック（オーディオデータ）における１シンクブロックの構成を示している。先頭の２バイトはシンクデータである。続く２バイトはＩＤである。このＩＤには、当該１シンクブロックが１２トラックのいずれに記録されたものかを識別するトラックＩＤ、当該１シンクブロックが一本の傾斜トラックに記録された複数のシンクブロックのいずれであるかを識別するシンクブロックＩＤが含まれる。
【００５５】
例えば、シンクブロックＩＤは、９ビットのデータとして構成される。この場合、１ビットで、オーディオデータ領域ＡＲＡの、走査開始端側である前半部に記録されたものか、走査終了端側である後半部に記録されたものかを表すものとされる。また、残りの８ビットで、前半部、後半部のそれぞれに記録される１６シンクブロックにそれぞれ対応して２２４〜２２７，２３２〜２３５，２４０〜２４３，２４８〜２５１の数値が与えられる。
【００５６】
また、１２トラック毎に１セグメントが構成され、０〜３のセグメント番号が順次繰り返し付与されるが、上述の２バイトのＩＤには、当該１シンクブロックが記録されるセグメントのセグメント番号を示すセグメントＩＤも含まれる。つまり、シンクブロックには、４フィールド分を周期として、各フィールド分を識別するセグメント番号が付加される。
【００５７】
また、このＩＤに、１８９バイトのオーディオデータ（またはＣ２パリティ）および１６バイトのＣ１パリティが続く。
【００５８】
ここで、２個のＥＣＣブロックには１チャネルの１フィールド分のオーディオデータが含まれ、従って１２個のＥＣＣブロックには１２チャネルの１フィールド分のオーディオデータが含まれる。この場合、Ｎチャネル（Ｎ＝０〜１１）のオーディオデータは、ブロックＮおよびブロックＮ＋１２のＥＣＣブロックに含まれる。
【００５９】
図１０は、ブロックＮおよびブロックＮ＋１２のＥＣＣブロックに配される、１フィールド分のオーディオデータのサンプルデータを示している。本実施の形態においては、上述したように、ビデオデータＶｉｎのフレーム周波数が２３．９７Ｈｚで、オーディオデータのサンプリング周波数が４８ｋＨｚの場合を想定しており、１フィールド当たりのサンプルデータは、Ｓ０〜Ｓ１０００までの１００１個である。なお、１サンプルのデータは２４ビット（３バイト）からなっている。
【００６０】
ブロックＮのＥＣＣブロックには、Ｓ０，Ｓ２，Ｓ４，・・・，Ｓ１０００の偶数番目のサンプルデータが、矢印ｂで示す外符号演算データ系列にそって連続するように配される。一方、ブロックＮ＋１２のＥＣＣブロックには、Ｓ１，Ｓ３，Ｓ５，・・・，Ｓ９９９の奇数番目のサンプルデータが、矢印ｂで示す外符号演算データ系列にそって連続するように配される。なお、データ０−０〜データ５−２は、フォーマットやタイムコード等の補助データ（ａｕｘｉｌｉｒｙ  ｄａｔａ）を示している。
【００６１】
上述したように、磁気テープ１２０の１２トラックに、２４個のＥＣＣブロック（図８参照）が記録される。図１１は、１セグメントを構成する１２トラックのオーディオデータ領域ＡＲＡにおける各ＥＣＣブロックのシンクブロックの配置を示している。
【００６２】
図１１Ａに示すように、１回目にスキャンされる０〜３の４トラックにおけるオーディオデータ領域ＡＲＡにはＡ１〜Ａ８までの８個の記録部が存在し、２回目にスキャンされる４〜７の４トラックにおけるオーディオデータ領域ＡＲＡにはＡ９〜Ａ１２，Ａ１〜Ａ４までの８個の記録部が存在し、さらに３回目にスキャンされる８〜１１の４トラックにおけるオーディオデータ領域ＡＲＡにはＡ５〜Ａ１２までの８個の記録部が存在する。
【００６３】
図１１Ｂに示すように、記録部Ａ１〜Ａ１２には、それぞれ０〜１１チャネルのオーディオデータが含まれるＥＣＣブロックのシンクブロックが記録される。つまり、Ｎチャネル（Ｎ＝０〜１１）のオーディオデータが含まれるＮおよびＮ＋１２のＥＣＣブロックのシンクブロックは、それぞれ、２個の記録部Ａ（Ｎ＋１）に割り振られて記録される。
【００６４】
図１１Ｂにおいて、ｘ−ｙＦは、ｘおよびｙのＥＣＣブロックにおける前半のシンクブロックが記録されることを示し、ｘ−ｙＢは、ｘおよびｙのＥＣＣブロックにおける後半のシンクブロックが記録されることを示している。この場合、前半のシンクブロックには、ｘのＥＣＣブロックの０〜７番目のシンクブロックおよびｙのＥＣＣブロックの８〜１５番目のシンクブロックが含まれ、後半のシンクブロックには、ｘのＥＣＣブロックの８〜１５番目のシンクブロックおよびｙのＥＣＣブロックの０〜７番目のシンクブロックが含まれる。
【００６５】
例えば、０〜３の４トラックにおける記録部Ａ１には、０チャネルのオーディオデータが含まれる０および１２のＥＣＣブロックにおける前半の１６個のシンクブロックが記録され、４〜７の４トラックにおける記録部Ａ１には、０チャネルのオーディオデータが含まれる０および１２のＥＣＣブロックにおける後半の１６個のシンクブロックが記録される。
【００６６】
なお、１シンクブロックは、図１１Ｃに示すように、２バイトのシンクデータ、２バイトのＩＤ、１８９バイトのオーディオデータ（またはＣ２パリティ）および１６バイトのＣ１パリティからなっている。
【００６７】
次に、図１に示す記録再生装置１００におけるＥＣＣエンコーダ１１３の詳細を説明する。図１２は、ＥＣＣエンコーダ１１３の構成を示している。
【００６８】
このＥＣＣエンコーダ１１３は、ＳＤＲＡＭ（Ｓｙｎｃｈｒｏｎｏｕｓ  Ｄｙｎａｍｉｃ  ＲＡＭ）１５１と、このＳＤＲＡＭ１５１に対する書き込みおよび読み出しを行うためのインタフェースであるＳＤＲＡＭインタフェース１５２とを有している。ＳＤＲＡＭ１５１は、複数フィールド、例えば６フィールドのビデオデータおよびオーディオデータを記憶し得る容量を持っている。
【００６９】
この場合、ＳＤＲＡＭ１５１には、ビデオデータに関しては、各フィールドについて、３６個のＥＣＣブロック（図５参照）に対応したメモリ空間が用意されている。また、このＳＤＲＡＭ１５１には、オーディオデータに関しては、各フィールドについて、２４個のＥＣＣブロック（図８参照）に対応したメモリ空間が用意されている。
【００７０】
また、ＥＣＣエンコーダ１１３は、ビデオ圧縮回路１１２（図１参照）から供給されるビデオデータ（圧縮符号化データ）ＶＤａをＳＤＲＡＭ１５１に書き込むためのバッファとなるビデオ入力書き込みバッファ１５３Ｖを有している。ここで、バッファ１５３Ｖは、パッキング手段も構成しており、ビデオ圧縮回路１１２から供給されるビデオデータ（圧縮符号化データ）ＶＤａをシンクブロックにパッキングする。
【００７１】
上述したようにビデオ圧縮回路１１２では、ビデオデータＶｉｎが例えば８×８画素の二次元ブロックに分割され、ＤＣＴ等のブロック符号化を用いたデータ圧縮処理が行われる。上述せずも、有効画面は、１９２０画素×１０８８ラインで構成される。入力書き込みバッファ１５３Ｖでは、例えば、図１３に示すように、１６×１６画素のマクロブロック（８×８画素のＤＣＴブロックが４個で構成される）の圧縮符号化データ毎に、２個のシンクブロックにパッキングされる。
【００７２】
ＳＤＲＡＭ１５１には、各マクロブロックの圧縮符号化データがパッキングされたシンクブロックが、各フィールドにつき、３６個のＥＣＣブロックに対応したメモリ空間に順次書き込まれる。図７に示すように、３６個のＥＣＣブロックの各シンクブロックがシャフリングされて傾斜トラックに記録される。
【００７３】
また、ＥＣＣエンコーダ１１３は、各フィールドについて、ＳＤＲＡＭ１５１から読み出される、ビデオデータに係る３６個のＥＣＣブロックに対応したビデオデータを後述するビデオＣ２エンコーダ１５５Ｖに供給するためのバッファとなるビデオＣ２読み出しバッファ１５４Ｖと、各フィールドについて、ビデオデータに係る３６個のＥＣＣブロックにおけるＣ２パリティ（外符号パリティ）を演算するビデオＣ２エンコーダ１５５Ｖとを有している。
【００７４】
また、ＥＣＣエンコーダ１１３は、各フィールドについて、Ｃ２エンコーダ１５５Ｖで演算された３６個のＥＣＣブロックにおけるＣ２パリティをＳＤＲＡＭ１５１に書き込むためのバッファとなるビデオＣ２書き込みバッファ１５６Ｖを有している。
【００７５】
また、ＥＣＣエンコーダ１１３は、入力端子１１１Ａ（図１参照）に入力されるオーディオデータＡｉｎを後述するオーディオＣ２エンコーダ１５５Ａに供給するためのオーディオ入力バッファ１５３Ａと、各フィールドについて、オーディオデータに係る２４個のＥＣＣブロックにおけるＣ２パリティ（外符号パリティ）を演算するオーディオＣ２エンコーダ１５５Ａとを有している。
【００７６】
また、ＥＣＣエンコーダ１１３は、各フィールドについて、オーディオデータＡｉｎおよびＣ２エンコーダ１５５Ａで演算されたＣ２パリティをＳＤＲＡＭ１５１に書き込むためのバッファとなるオーディオＣ２書き込みバッファ１５６Ａを有している。ＳＤＲＡＭ１５１には、それぞれのチャネルのオーディオデータＡｉｎおよびＣ２パリティが、各フィールドにつき、２個のＥＣＣブロックに対応したメモリ空間に順次書き込まれる。
【００７７】
また、ＥＣＣエンコーダ１１３は、出力バッファ１５７から記録順に出力されるビデオデータまたはオーディオデータに係る各シンクブロックのデータ列に、シンクデータおよびＩＤを付加するＳＹＮＣ・ＩＤ付加回路１５８と、このＳＹＮＣ・ＩＤ付加回路１５８でシンクデータおよびＩＤが付加された各シンクブロックのビデオデータに対してＣ１パリティを演算して付加し、記録データＤＤｂとして出力するＣ１エンコーダ１５９とを有している。この場合、Ｃ１エンコーダ１５９は、ビデオとオーディオで兼用されており、シンクブロックの最初で符号長などのパラメータが設定されて使用される。
【００７８】
図１２に示すＥＣＣエンコーダ１１３の動作を説明する。
ビデオ圧縮回路１１２（図１参照）より供給されるビデオデータ（圧縮符号化データ）ＶＤａは、ビデオ入力書き込みバッファ１５３ＶおよびＳＤＲＡＭインタフェース１５２を介してＳＤＲＡＭ１５１に書き込まれる。この場合、１６×１６画素のマクロブロックの圧縮符号化データ毎に、２個のシンクブロックにパッキングされ、これらシンクブロックが、各フィールドにつき、３６個のＥＣＣブロックに対応したメモリ空間に順次書き込まれる。
【００７９】
また、各フィールドについて、ＳＤＲＡＭ１５１から読み出されるビデオデータに係る３６個のＥＣＣブロックに対応したビデオデータは、ＳＤＲＡＭインタフェース１５２およびビデオＣ２読み出しバッファ１５４Ｖを介してビデオＣ２エンコーダ１５５Ｖに供給される。
【００８０】
Ｃ２エンコーダ１５５Ｖでは、各フィールドについて、３６個のＥＣＣブロックにおけるＣ２パリティが演算される。このように各フィールドについて、Ｃ２エンコーダ１５５Ｖで演算される、３６個のＥＣＣブロックにおけるＣ２パリティは、ビデオＣ２書き込みバッファ１５６ＶおよびＳＤＲＡＭインタフェース１５２を介して、ＳＤＲＡＭ１５１の、対応する３６個のＥＣＣブロックのメモリ空間におけるＣ２パリティ領域に書き込まれる。
【００８１】
また、入力端子１１１Ａ（図１参照）より供給されるオーディオデータＡｉｎは、オーディオ入力バッファ１５３Ａを介してオーディオＣ２エンコーダ１５５Ａに供給される。Ｃ２エンコーダ１５５Ａでは、各フィールドについて、２４個のＥＣＣブロックにおけるＣ２パリティが演算される。
【００８２】
各フィールドについて、Ｃ２エンコーダ１５５Ａで演算される２４個のＥＣＣブロックにおけるＣ２パリティおよびオーディオデータＡｉｎは、オーディオＣ２書き込みバッファ１５６ＡおよびＳＤＲＡＭインタフェース１５２を介して、ＳＤＲＡＭ１５１の、対応する２４個のＥＣＣブロックのメモリ空間に書き込まれる。
【００８３】
また、各フィールドについて、ＳＤＲＡＭ１５１から読み出される、ビデオデータに係る３６個のＥＣＣブロックに対応したビデオデータおよびＣ２パリティ、並びにオーディオデータに係る２４個のＥＣＣブロックに対応したオーディオデータおよびＣ２パリティは、ＳＤＲＡＭインタフェース１５２を介して出力バッファ１５７に供給される。この出力バッファ１５７から記録順に出力されるビデオデータまたはオーディオデータに係る各シンクブロックは、ＳＹＮＣ・ＩＤ付加回路１５８でシンクデータおよびＩＤが付加された後にＣ１エンコーダ１５９に供給される。
【００８４】
Ｃ１エンコーダ１５９では、シンクデータおよびＩＤが付加された各シンクブロックのビデオデータに対してＣ１パリティが演算されて付加され、記録データＤＤｂとしての各シンクブロックが生成される。この記録データＤｂは、上述したように記録アンプ１１４（図１参照）に供給される。
【００８５】
次に、図１に示す記録再生装置１００におけるＥＣＣデコーダ１３４の詳細を説明する。図１４は、ＥＣＣデコーダ１３４の構成を示している。
このＥＣＣデコーダ１３４は、復号回路１３３（図１参照）から供給される再生データＤＤｃを構成する各シンクブロックのシンクデータを検出するＳＹＮＣ検出回路１６１と、このＳＹＮＣ検出回路１６１を通じて供給される各シンクブロック毎にＣ１パリティを用いてエラー訂正処理を行うＣ１デコーダ１６２とを有している。この場合、Ｃ１デコーダ１６２は、ビデオとオーディオで兼用されており、シンクブロックの最初で符号長などのパラメータが設定されて使用される。
【００８６】
Ｃ１デコーダ１６２からは、エラー訂正処理後のビデオデータ列またはオーディオデータ列に、エラー訂正ができたか否かを示すエラー訂正フラグおよびＩＤが付加された状態で、各シンクブロックが出力される。エラー訂正フラグは、シンクデータの部分に挿入される。この場合、エラー訂正フラグが、エラー訂正ができたことを示す状態にある場合、そのエラー訂正フラグが付加されているデータ列にはエラーは含まれておらず、一方エラー訂正フラグが、エラー訂正ができなかったことを示す状態にある場合、そのエラー訂正フラグが付加されているデータ列にはエラーが含まれている。
【００８７】
また、ＥＣＣデコーダ１３４は、ＳＤＲＡＭ１６３と、このＳＤＲＡＭ１６３に対する書き込みおよび読み出しを行うためのインタフェースであるＳＤＲＡＭインタフェース１６４とを有している。ＳＤＲＡＭ１６３は、複数フィールド、例えば６フィールドのビデオデータおよびオーディオデータを記憶し得る容量を持っている。
【００８８】
この場合、ＳＤＲＡＭ１６３には、ビデオデータに関しては、各フィールドについて、３６個のＥＣＣブロック（図５参照）に対応したメモリ空間が用意されている。また、このＳＤＲＡＭ１６３には、オーディオデータに関しては、各フィールドについて、２４個のＥＣＣブロック（図８参照）に対応したメモリ空間が用意されている。
【００８９】
また、ＥＣＣデコーダ１３４は、Ｃ１デコーダ１６２から供給される各シンクブロックをＳＤＲＡＭ１６３に書き込むためのバッファとなる入力書き込みバッファ１６５を有している。
【００９０】
ここで、入力書き込みバッファ１６５は、後述するように、Ｃ２デコーダによってＣ２パリティを用いたエラー訂正処理が行われることから、付加されているエラー訂正フラグの状態によらず、全てのシンクブロックをＳＤＲＡＭ１６３に書き込む。
【００９１】
この場合、ビデオデータに係る各シンクブロックは、それに付加されているトラックＩＤおよびシンクブロックＩＤに基づいて、各フィールドにつき、３６個のＥＣＣブロックに対応したメモリ空間の所定アドレス位置に書き込まれる。これにより、ＳＤＲＡＭ１６３には、各フィールドにつき、それぞれ記録時と同様の１２６個のシンクブロックからなる、３６個のＥＣＣブロックが生成される。
【００９２】
またこの場合、オーディオデータに係る各シンクブロックは、それに付加されているトラックＩＤおよびシンクブロックＩＤに基づいて、各フィールドにつき、２４個のＥＣＣブロックに対応したメモリ空間の所定アドレス位置に書き込まれる。これにより、ＳＤＲＡＭ１６３には、各フィールドにつき、それぞれ記録時と同様の１６個のシンクブロックからなる、２４個のＥＣＣブロックが生成される。
【００９３】
また、ＥＣＣデコーダ１３４は、各フィールドについて、ＳＤＲＡＭ１６３から読み出される、ビデオデータに係る３６個のＥＣＣブロックにおける各シンクブロックのデータを、後述するビデオＣ２デコーダ１６７Ｖに供給するためのバッファとなるビデオＣ２読み出しバッファ１６６Ｖと、各フィールドについて、３６個のＥＣＣブロックにおいてＣ２パリティを用いてエラー訂正処理を行うビデオＣ２デコーダ１６７Ｖと、各フィールドについて、Ｃ２デコーダ１６７Ｖで訂正された３６個のＥＣＣブロックにおけるビデオデータ（圧縮符号化データ）をＳＤＲＡＭ１６３に書き込むためのバッファとなるビデオＣ２書き込みバッファ１６８Ｖとを有している。
【００９４】
また、ＥＣＣデコーダ１３４は、各フィールドについて、ＳＤＲＡＭ１６３に記憶されている、ビデオデータに係る３６個のＥＣＣブロックに基づいて、各マクロブロックの圧縮符号化データを出力するためのバッファとなるビデオ出力バッファ１６９Ｖを有している。この場合、ビデオ出力バッファ１６９Ｖは、デパッキングの処理を行って、各マクロブロックの圧縮符号化データを対応するシンクブロックから取得する。
【００９５】
また、ＥＣＣデコーダ１３４は、各フィールドについて、ＳＤＲＡＭ１６３から読み出される、オーディオデータに係る２４個のＥＣＣブロックにおける各シンクブロックのデータを、後述するオーディオＣ２デコーダ１６７Ａに供給するためのバッファとなるオーディオＣ２読み出しバッファ１６６Ａと、各フィールドについて、２４個のＥＣＣブロックにおいてＣ２パリティを用いてエラー訂正処理を行うオーディオＣ２デコーダ１６７Ａと、このＣ２デコーダ１６７Ａで訂正された２４個のＥＣＣブロックにおけるオーディオデータ、つまり１２チャネル分のオーディオデータを出力するためのバッファとなるオーディオ出力バッファ１６９Ａとを有している。
【００９６】
図１４に示すＥＣＣデコーダ１３４の動作を説明する。
復号回路１３３から供給される再生データＤＤｃは、ＳＹＮＣ検出回路１６１でシンクデータが検出され、その後にＣ１デコーダ１６２に供給される。Ｃ１デコーダ１６２では、各シンクブロックに対して、Ｃ１パリティを用いたエラー訂正処理が行われる。このＣ１デコーダ１６２からは、エラー訂正処理後のデータ列に、エラー訂正ができたか否かを示すエラー訂正フラグおよびＩＤが付加された状態で、各シンクブロックが出力される。
【００９７】
Ｃ１デコーダ１６２から出力される各シンクブロックは、入力書き込みバッファ１６５およびＳＤＲＡＭインタフェース１６４を介して、ＳＤＲＡＭ１６３に書き込まれる。
【００９８】
この場合、ビデオデータに係る各シンクブロックは、それに付加されているトラックＩＤおよびシンクブロックＩＤに基づいて、各フィールドについて、３６個のＥＣＣブロックに対応したメモリ空間の所定アドレス位置に書き込まれる。これにより、ＳＤＲＡＭ１６３には、各フィールドにつき、それぞれ記録時と同様の１２６個のシンクブロックからなる、３６個のＥＣＣブロックが生成される。
【００９９】
またこの場合、オーディオデータに係る各シンクブロックは、それに付加されているトラックＩＤおよびシンクブロックＩＤに基づいて、各フィールドについて、２４個のＥＣＣブロックに対応したメモリ空間の所定アドレス位置に書き込まれる。これにより、ＳＤＲＡＭ１６３には、各フィールドにつき、それぞれ記録時と同様の１６個のシンクブロックからなる、２４個のＥＣＣブロックが生成される。
【０１００】
また、各フィールドについて、ＳＤＲＡＭ１６３からビデオデータに係る３６個のＥＣＣブロックにおける各シンクブロックのデータが読み出され、ＳＤＲＡＭインタフェース１６４およびビデオＣ２読み出しバッファ１６６Ｖを介してビデオＣ２デコーダ１６７Ｖに供給される。Ｃ２デコーダ１６７Ｖでは、各フィールドにつき、３６個のＥＣＣブロックにおいて、Ｃ２パリティを用いてエラー訂正処理が行われる。そして、各フィールドについて、Ｃ２デコーダ１６７Ｖで訂正された３６個のＥＣＣブロックにおけるビデオデータ（圧縮符号化データ）は、ビデオＣ２書き込みバッファ１６８ＶおよびＳＤＲＡＭインタフェース１６４を介して、ＳＤＲＡＭ１６３に書き込まれる。
【０１０１】
また、各フィールドについて、ＳＤＲＡＭ１６３に記憶されているビデオデータに係る３６個のＥＣＣブロックに基づいて、各マクロブロックの圧縮符号化データが読み出され、出力バッファ１６９Ｖを介して、出力ビデオデータＶＤｄとして出力される。この場合、出力バッファ１６９Ｖでは、デパッキングの処理が行われ、各マクロブロックの圧縮符号化データが、対応するシンクブロックから取得される。
【０１０２】
また、各フィールドについて、ＳＤＲＡＭ１６３からオーディオデータに係る２４個のＥＣＣブロックにおける各シンクブロックのデータが読み出され、ＳＤＲＡＭインタフェース１６４およびオーディオＣ２読み出しバッファ１６６Ａを介してオーディオＣ２デコーダ１６７Ａに供給される。Ｃ２デコーダ１６７Ａでは、各フィールドにつき、２４個のＥＣＣブロックにおいて、Ｃ２パリティを用いてエラー訂正処理が行われる。
【０１０３】
そして、各フィールドについて、Ｃ２デコーダ１６７Ａで訂正された２４個のＥＣＣブロックにおけるオーディオデータ、つまり１２チャネル分のオーディオデータは、オーディオ出力バッファ１６９Ａを介して、出力オーディオデータＡｏｕｔとして出力される。
【０１０４】
以上説明したように、本実施の形態においては、２３．９７Ｈｚのフレーム周波数のビデオデータＶｉｎが磁気テープ１２０に記録されると共に、このビデオデータＶｉｎに対応して、４８ｋＨｚのサンプリング周波数を持つオーディオデータＡｉｎも磁気テープ１２０に記録される。この場合、オーディオデータＡｉｎに関しては、１チャネル当たり、各フィールドにおいて、１００１個のサンプルデータが記録される。
【０１０５】
通常再生時には、磁気テープ１２０のテープ走行速度および回転ヘッドの回転速度が記録時と同じくされ、磁気テープ１２０からフレーム周波数が２３．９７ＨｚのビデオデータＶｏｕｔが再生される。この場合、ＥＣＣデコーダ１３４から順次供給される、各フィールド分のオーディオデータは、そのサンプルデータの個数が１００１個（４８ｋＨｚのサンプリング周波数に対応）のまま、レートコンバータ１３７から出力される。これにより、ビデオデータＶｏｕｔに対応した、４８ｋＨｚのサンプリング周波数を持つオーディオデータＡｏｕｔが得られる。
【０１０６】
また、互換再生時には、磁気テープ１２０のテープ走行速度および回転ヘッドの回転速度が記録時に比べて２５／２３．９７倍とされ、磁気テープ１２０からフレーム周波数が２５ＨｚのビデオデータＶｏｕｔが再生される。この場合、ＥＣＣデコーダ１３４から順次供給される、各フィールド分のオーディオデータは、そのサンプルデータの個数が１００１個（５０．０１ｋＨｚのサンプリング周波数に対応）から９６０個（４８ｋＨｚのサンプリング周波数に対応）に変換されて、レートコンバータ１３７から出力される。これにより、ビデオデータＶｏｕｔに対応した、４８ｋＨｚのサンプリング周波数を持つオーディオデータＡｏｕｔが得られる。
【０１０７】
このように、通常再生時には、磁気テープ１２０にサンプルデータの個数を変換することなく記録されたオーディオデータを、そのまま再生して使用するものであり、サンプルデータの個数の減少による帯域制限やレートコンバータ１３７におけるフィルタの丸め誤差はなく、音質の劣化を招くことはない。
【０１０８】
なお、上述実施の形態においては、第１のフレーム周波数が２３．９７Ｈｚであり、第２のフレーム周波数が２５Ｈｚである例を示したが、この発明はこれらのフレーム周波数に限定されるものではない。例えば、第１のフレーム周波数が２５Ｈｚであり、第２のフレーム周波数が２３．９７Ｈｚである例も考えられる。
【０１０９】
この場合、２５Ｈｚのフレーム周波数のビデオデータＶｉｎが磁気テープ１２０に記録されると共に、このビデオデータＶｉｎに対応して、４８ｋＨｚのサンプリング周波数を持つオーディオデータＡｉｎも磁気テープ１２０に記録される。この場合、オーディオデータＡｉｎに関しては、１チャネル当たり、各フィールドにおいて、９６０個のサンプルデータが記録される。
【０１１０】
通常再生時には、磁気テープ１２０のテープ走行速度および回転ヘッドの回転速度が記録時と同じくされ、磁気テープ１２０からフレーム周波数が２５ＨｚのビデオデータＶｏｕｔが再生される。この場合、ＥＣＣデコーダ１３４から順次供給される、各フィールド分のオーディオデータは、そのサンプルデータの個数が９６０個（４８ｋＨｚのサンプリング周波数に対応）のまま、レートコンバータ１３７から出力される。これにより、ビデオデータＶｏｕｔに対応した、４８ｋＨｚのサンプリング周波数を持つオーディオデータＡｏｕｔが得られる。
【０１１１】
また、互換再生時には、磁気テープ１２０のテープ走行速度および回転ヘッドの回転速度が記録時に比べて２３．９７／２５倍とされ、磁気テープ１２０からフレーム周波数が２３．９７ＨｚのビデオデータＶｏｕｔが再生される。この場合、ＥＣＣデコーダ１３４から順次供給される、各フィールド分のオーディオデータは、そのサンプルデータの個数が９６０個（４６．０２ｋＨｚのサンプリング周波数に対応）から１００１個（４８ｋＨｚのサンプリング周波数に対応）に変換されて、レートコンバータ１３７から出力される。これにより、ビデオデータＶｏｕｔに対応した、４８ｋＨｚのサンプリング周波数を持つオーディオデータＡｏｕｔが得られる。
【０１１２】
図１５Ａは、２５Ｈｚのフレーム周波数のビデオデータＶｉｎの各フィールドに対応して、４８ｋＨｚのサンプリング周波数を持つオーディオデータＡｉｎの９６０個のサンプルデータが記録されることを示している。通常再生時には、ビデオデータＶｏｕｔのフレーム周波数は２５Ｈｚであって、記録時のビデオデータＶｉｎのフレーム周波数と同じであり、ビデオデータＶｏｕｔの各フィールドで再生されるオーディオデータの９６０個のサンプルデータをそのまま用いることで、４８ｋＨｚのサンプリング周波数を持つオーディオデータＡｏｕｔを得ることができる。
【０１１３】
しかし、互換再生時には、ビデオデータＶｏｕｔのフレーム周波数は２３．９７Ｈｚであって、記録時のビデオデータＶｉｎのフレーム周波数より低く、ビデオデータＶｏｕｔの各フィールドで再生されるオーディオデータの９６０個のサンプルデータをそのまま用いて４８ｋＨｚのサンプリング周波数を持つオーディオデータを構成するとすれば、図１５Ｂに示すように、構成されるオーディオデータの期間は１フィールド期間より短くなって不都合である。
【０１１４】
上述したように、レートコンバータ１３７で、ビデオデータＶｏｕｔの各フィールドで再生されるオーディオデータの９６０個のサンプルデータを１００１個に変換し、各フィールドで、変換して得られる１００１個のサンプルデータを用いて４８ｋＨｚのサンプリング周波数を持つオーディオデータを構成することで、図１５Ｃに示すように、構成されるオーディオデータの期間は１フィールド期間に等しくなり、各フィールドのオーディオデータを良好に連続させることができる。
【０１１５】
また、上述実施の形態においては、磁気テープ１２０には、ビデオデータＶｉｎに対応して、１フィールド期間毎に、４８ｋＨｚのサンプリング周波数を持つオーディオデータの１フィールド分のサンプルデータが記録されており、互換再生時には、レートコンバータ１３７において、当該１フィールド分を単位としてサンプルデータの個数の変換処理が行われるものであるが、この発明はこれに限定されるものではない。
【０１１６】
例えば、磁気テープ１２０に、ビデオデータＶｉｎのフレーム周期の整数倍または整数分の１である所定時間毎に、所定のサンプリング周波数を持つオーディオデータの当該所定時間分のサンプルデータが記録されるものにも、この発明を同様に適用できる。その場合、互換再生時には、レートコンバータ１３７において、例えば所定時間分を単位としてサンプルデータの個数の変換処理が行われることになる。
【０１１７】
また、上述実施の形態においては、磁気テープ１２０に、ビデオデータＶｉｎに対応して、１フィールド時間毎に、４８ｋＨｚのサンプリング周波数を持つオーディオデータの１フィールド分のサンプルデータが記録されるものを示したが、この発明は、磁気テープ１２０に、４８ｋＨｚのサンプリング周波数を持つオーディオデータのみが第１の時間分毎に記録されるものにも、同様に適用できる。
【０１１８】
その場合、第１の時間とは異なる第２の時間毎に、磁気テープ１２０に記録されている第１の時間分のオーディオデータを再生するとき、レートコンバータ１３７において、第２の時間毎に再生されるオーディオデータのサンプルデータの個数を変換することで、４８ｋＨｚのサンプリング周波数を持つオーディオデータを得ることができる。
【０１１９】
この場合、第１の時間毎に、磁気テープ１２０に記録されている第１の時間分のオーディオデータを再生するときは、第１の時間毎に再生されるオーディオデータのサンプルデータの個数をそのままとして、４８ｋＨｚのサンプリング周波数を持つオーディオデータを得ることができる。
【０１２０】
したがって、この場合には、磁気テープ１２０にサンプルデータの個数を変換することなく記録されたオーディオデータを、そのまま再生して使用するものであり、サンプルデータの個数の減少による帯域制限やレートコンバータにおけるフィルタの丸め誤差はなく、音質の劣化を招くことはない。
【０１２１】
また、上述実施の形態においては、記録媒体が磁気テープ１２０であるものを示したが、その他のテープ記録媒体、あるいはディスク記録媒体を用いるものにもこの発明を適用できることは勿論である。
【０１２２】
【発明の効果】
この発明によれば、第１の時間（所定時間）毎に所定のサンプリング周波数を持つオーディオデータが第１の時間分だけ記録された記録媒体からオーディオデータを再生する際に、各第１の時間分のオーディオデータが第１の時間毎に再生されるとき（通常再生時）は、第１の時間毎に再生されるオーディオデータのサンプルデータの個数をそのままとして出力し、各第１の時間分のオーディオデータが第１の時間とは異なる第２の時間（所定時間とは異なる時間）毎に再生されるとき（互換再生時）は、第２の時間毎に再生されるオーディオデータのサンプルデータの個数を第２の時間に応じた個数に変換して出力するものであり、通常再生を行う場合の音質劣化を招くことなく互換再生を良好に行うことができる。
【図面の簡単な説明】
【図１】実施の形態としての記録再生装置の構成を示すブロック図である。
【図２】フレーム周波数が２３．９７Ｈｚから２５Ｈｚへの互換再生時のレートコンバートを説明するための図である。
【図３】記録フォーマットを説明するための図である。
【図４】磁気ヘッドの配置を説明するための図である。
【図５】ビデオデータのＥＣＣブロックの構成を示す図である。
【図６】ビデオデータの１シンクブロックの構成を示す図である。
【図７】１２トラック内のシンクブロック（ビデオデータ）の配置を説明するための図である。
【図８】オーディオデータのＥＣＣブロックの構成を示すブロック図である。
【図９】オーディオデータの１シンクブロックの構成を示す図である。
【図１０】ブロックＮおよびブロックＮ＋１２のＥＣＣブロックに配される、オーディオデータのサンプルデータを示す図である。
【図１１】１２トラック内のシンクブロック（オーディオデータ）の配置を説明するための図である。
【図１２】ＥＣＣエンコーダの構成を示すブロック図である。
【図１３】マクロブロックとシンクブロック（ビデオデータ）との関係を説明するための図である。
【図１４】ＥＣＣデコーダの構成を示すブロック図である。
【図１５】フレーム周波数が２５Ｈｚから２３．９７Ｈｚへの互換再生時のレートコンバートを説明するための図である。
【符号の説明】
１００・・・記録再生装置、１１１Ｖ，１１１Ａ・・・入力端子、１１２・・・ビデオ圧縮回路、１１３・・・ＥＣＣエンコーダ、１１４・・・記録アンプ、１２０・・・磁気テープ、１３１・・・再生アンプ、１３２・・・等化回路、１３３・・・復号回路、１３４・・・ＥＣＣデコーダ、１３５・・・ビデオ伸長回路、１３６Ｖ，１３６Ａ・・・出力端子、１３７・・・レートコンバータ、１４０・・・回転ドラム、１５１・・・ＳＤＲＡＭ、１５２・・・ＳＤＲＡＭインタフェース、１５３Ｖ・・・ビデオ入力書き込みバッファ、１５３Ａ・・・オーディオ入力バッファ、１５４Ｖ・・・ビデオＣ２読み出しバッファ、１５５Ｖ・・・ビデオＣ２エンコーダ、１５５Ａ・・・オーディオＣ２エンコーダ、１５６Ｖ・・・ビデオＣ２書き込みバッファ、１５６Ａ・・・オーディオＣ２書き込みバッファ、１５７・・・出力バッファ、１５８・・・ＳＹＮＣ・ＩＤ付加回路、１５９・・・Ｃ１エンコーダ、１６１・・・ＳＹＮＣ検出回路、１６２・・・Ｃ１デコーダ、１６３・・・ＳＤＲＡＭ、１６４・・・ＳＤＲＡＭインタフェース、１６５・・・入力書き込みバッファ、１６６Ｖ・・・ビデオＣ２読み出しバッファ、１６６Ａ・・・オーディオＣ２読み出しバッファ、１６７Ｖ・・・ビデオＣ２デコーダ、１６７Ａ・・・オーディオＣ２デコーダ、１６８Ｖ・・・ビデオＣ２書き込みバッファ、１６９Ｖ・・・ビデオ出力バッファ、１６９Ａ・・・オーディオ出力バッファ
【図１】
2004310863.tif 000003
【図２】
2004310863.tif 000004
【図３】
2004310863.tif 000005
【図４】
2004310863.tif 000006
【図５】
2004310863.tif 000007
【図６】
2004310863.tif 000008
【図７】
2004310863.tif 000009
【図８】
2004310863.tif 000010
【図９】
2004310863.tif 000011
【図１０】
2004310863.tif 000012
【図１１】
2004310863.tif 000013
【図１２】
2004310863.tif 000014
【図１３】
2004310863.tif 000015
【図１４】
2004310863.tif 000016
【図１５】
2004310863.tif 000017